(57)【要約】【課題】従来と比して一段と小型化が容易な媒体集積装置及びこの装置を備えた媒体処理装置を実現する。【解決手段】リジェクト庫１１は、紙幣ＢＬの放出方向が斜め下方向となるようにプレッシャローラ２１が集積ローラ２０の後方に位置しており、これに合わせて、上部ガイド２２が傾斜していて、この上部ガイド２２の先にビルストッパ２３が配置されるようになっている。これにより、集積ローラ２０の軸心とプレッシャローラ２１の軸心を結ぶ線分からビルストッパ２３までの距離はそのままに、放出方向を斜め下方向にした分、奥行き方向の長さを短くすることができ、薄型化を実現している。【選択図】図２
2013056726.tif 000002
【特許請求の範囲】
【請求項１】
媒体の取込口近傍に設けられた第１のローラと、
上記第１のローラとの間から媒体集積部に放出する媒体の放出方向が斜め下方向となるよう上記第１のローラの真上から媒体集積部側にずれた位置に設けられた第２のローラと、
上記媒体の放出方向と略平行になるよう設けられ、放出された媒体を斜め下方向にガイドする放出ガイドと、
上記媒体ガイドの末端側に設けられ、斜め下方向に放出された媒体の先端部が衝突することで当該媒体を停止させるビルストッパと
を備える媒体集積装置。
【請求項２】
上記ビルストッパは、
上記媒体の先端部が斜め上から衝突する媒体衝突面に、上記媒体の先端部を引っ掛けて停止させるための切欠溝が形成されている
請求項１に記載の媒体集積装置。
【請求項３】
上記ビルストッパの切欠溝は、
衝突する媒体の先端部に平行な方向に延在する断面Ｖ字型の引っ掛かり形状でなり、当該引っ掛かり形状の一面を形成する下面部が、上記媒体の放出方向と略平行である
請求項２に記載の媒体集積装置。
【請求項４】
上記第１のローラと同軸に設けられ、上記ビルストッパにより停止させられた上記媒体の後端部を叩き落として上記媒体集積部のステージ上に集積させる羽根車を
さらに備える
請求項１に記載の媒体集積装置。
【請求項５】
上記媒体集積部は、
上記羽根車の下方に垂設された集積ガイドを有し、
上記羽根車は、
上記媒体集積部のステージ上に叩き落とした媒体の後端部を、上記集積ガイドに当接するまで引き寄せる
請求項４に記載の媒体集積装置。
【請求項６】
上記第１のローラと上記第２のローラとの間の媒体放出口近傍での媒体の放出状況と、上記ステージ上に集積されている媒体の集積状況との両方を監視する媒体監視部を
さらに備える
請求項５に記載の媒体集積装置。
【請求項７】
上記媒体監視部は、
上記媒体放出口近傍に設定された監視点と、上記集積ガイド上の上記羽根車近傍に設定された監視点とを通る直線上に配置された透過型センサであり、
上記直線上に媒体が滞留しているか否かを監視することで、媒体の放出状況と媒体の集積状況との両方を監視する
請求項６に記載の媒体集積装置。
【請求項８】
媒体の取込口近傍に設けられた第１のローラと、上記第１のローラとの間から媒体集積部に放出する媒体の放出方向が斜め下方向となるよう上記第１のローラの真上から媒体集積部側にずれた位置に設けられた第２のローラと、上記媒体の放出方向と略平行になるよう設けられ、放出された媒体を斜め下方向にガイドする放出ガイドと、上記媒体ガイドの末端側に設けられ、斜め下方向に放出された媒体の先端部が衝突することで当該媒体を停止させるビルストッパとを有する媒体集積装置
を備える媒体処理装置。
【発明の詳細な説明】
【技術分野】
【０００１】
本発明は、媒体集積装置及び媒体処理装置に関し、例えば、媒体として紙幣を扱う現金自動取引装置に関するものである。
【背景技術】
【０００２】
従来、紙幣の入出金を顧客の操作に応じて行う現金自動取引装置として、入金された紙幣を出金にリサイクルする還流型の現金自動取引装置が知られている（例えば、特許文献１参照）。
【０００３】
ここで、従来の還流型の現金自動取引装置の構成例について、図１４を用いて説明する。現金自動取引装置１００は、入出金口１０１と、鑑別部１０２と、一時保留部１０３と、収納庫１０４と、補充・回収庫（以下、補回庫とも呼ぶ）１０５と、補回庫入出金部１０６と、リジェクト庫１０７と、取忘れ保管庫１０８と、これらをつなぐ紙幣搬送路１０９とで構成されている。
【０００４】
入出金口１０１は、顧客が入金取引にてセットした紙幣を取り込むための取引口と、出金取引にて顧客へ紙幣を受け渡すための受渡口とを兼ねている。鑑別部１０２は、紙幣の金種、正損、真偽、表裏、重走などを判別するようになっている。一時保留部１０３は、入出金口１０１に投入され鑑別部１０２によって正常判別された紙幣を、入金取引確定まで一時的に保管して確定後に繰り出すようになっている。
【０００５】
収納庫１０４は、金種ごとに紙幣を収納し、金種ごとに紙幣を繰り出すようになっている。補回庫１０５は、収納庫１０４から回収される紙幣や収納庫へ補充される紙幣を収納し、必要に応じて現金自動取引装置１００から取り外せるようになっている。補回庫入出金部１０６は、紙幣補充時には補回庫１０５に収納されている紙幣を１枚ずつ分離して紙幣搬送路１０９へ繰り出し、紙幣回収時には補回庫１０５へ紙幣を収納させるようになっている。
【０００６】
リジェクト庫１０７は、鑑別部１０２によって異常判別された紙幣を収納するようになっている。取忘れ保管庫１０８は、出金取引時に入出金口１０１に搬送された紙幣が一定時間放置されたときに、その紙幣を放置紙幣として取り込んで収納するようになっている。
【０００７】
このような構成の従来の現金自動取引装置１００は、例えば、入出金口１０１より前方（すなわち取引を行う顧客に近い方）に鑑別部１０２が配置され、入出金口１０１より後方に一時保留部１０３が配置されている。また、入出金口１０１、鑑別部１０２及び一時保留部１０３の下方に収納庫１０４が前後方向に複数（例えば４つ）並べて配置されている。
【０００８】
さらに、この現金自動取引装置１００は、一時保留部１０３の後方に補回庫入出金部１０６が配置され、補回庫入出金部１０６の下方に補回庫１０５が配置され、補回庫１０５の下方にリジェクト庫１０７が上下方向に２つ並べて配置され、リジェクト庫１０７の下方に取忘れ保管庫１０８が配置されている。そして、これら複数のユニットが、紙幣搬送路１０９でつながれたレイアウトとなっている。
【０００９】
つづけて、従来の現金自動取引装置１００のリジェクト庫１０７の構成例について、図１５を用いて説明する。リジェクト庫１０７は、搬送されてきた紙幣を集積する手段として、集積ローラ２００と、プレッシャローラ２０１と、上部ガイド２０２と、ビルストッパ２０３と、羽根車２０４と、側面ガイド２０５と、収納フレーム２０６と、ステージ２０７とで構成されている。
【００１０】
集積ローラ２００は、リジェクト庫１０７の前面上部に位置する取込口２０８近傍に設けられ、プレッシャローラ２０１は、その軸心が、集積ローラ２００の軸心の真上に位置するように対向して設けられている。
【００１１】
上部ガイド２０２は、リジェクト庫１０７上面の内側に沿って水平に設けられ、ビルストッパ２０３は、リジェクト庫１０７後面上部の内側、上部ガイド２０２の後端部近傍に設けられている。羽根車２０４は、集積ローラ２００と同軸に枢支されている。
【００１２】
側面ガイド２０５は、リジェクト庫１０７内の前面側に垂直に設けられ、収納フレーム２０６は、リジェクト庫１０７全体を囲うように設けられている。そしてこれら側面ガイド２０５及び収納フレーム２０６により紙幣を収納する収納空間が形成され、ステージ２０７は、この収納空間を上下方向に移動可能に設けられている。
【００１３】
このような構成のリジェクト庫１０７では、集積ローラ２００とプレッシャローラ２０１とにより、取込口２０８から取り込まれた紙幣ＢＬにフィード力が与えられ、この紙幣ＢＬが収納空間に水平方向に放出される。
【００１４】
水平方向に放出された紙幣ＢＬは、上部ガイド２０２にガイドされ、その前端部がビルストッパ２０３に衝突することにより停止した後、その後端部が羽根車２０４によって下方向に叩きつけられることによりステージ２０７上に落とされる。
【００１５】
さらにステージ２０７上に落とされた紙幣は、その後端部が羽根車２０４によって側面ガイド２０５に当接するまで引き寄せられる。
【００１６】
リジェクト庫１０７では、このような動作を繰り返し行うことで、ステージ２０７上に、後端部を揃えた状態で紙幣ＢＬを上下方向に集積していくようになっている。
【先行技術文献】
【特許文献】
【００１７】
【特許文献１】特開２００８−２１７４６５号公報
【発明の概要】
【発明が解決しようとする課題】
【００１８】
ところで、上述した従来のリジェクト庫１０７の場合、集積ローラ２００の軸心とプレッシャローラ２０１の軸心を結ぶ線分からビルストッパ２０３までの距離Ｌが、少なくとも紙幣ＢＬの放出方向に平行な辺より長くなくてはならない。
【００１９】
尚、紙幣ＢＬの放出方向に平行な辺とは、例えば、図１６に示すように、紙幣ＢＬがその短辺と平行な方向に放出されるとすれば、短辺を意味する。
【００２０】
実際、上述した構成のリジェクト庫１０７において、２つのローラの軸心を結ぶ線分からビルストッパ２０３までの距離Ｌが、紙幣ＢＬの短辺より短いと、例えば、紙幣ＢＬ全体が収納空間に放出される前に、紙幣ＢＬの前端部がビルストッパ２０３に衝突してしまい、紙幣詰まりを起こす要因となってしまう。
【００２１】
ゆえに、上述した従来のリジェクト庫１０７では、奥行き方向の長さを短くして小型化することが難しいという問題があった。
【００２２】
本発明は以上の点を考慮したもので、従来と比して一段と小型化が容易な媒体集積装置及びこの媒体集積装置を備えた媒体処理装置を提案しようとするものである。
【課題を解決するための手段】
【００２３】
かかる課題を解決するため本発明の媒体集積装置においては、媒体の取込口近傍に設けられた第１のローラと、第１のローラとの間から媒体集積部に放出する媒体の放出方向が斜め下方向となるよう第１のローラの真上から媒体集積部側にずれた位置に設けられた第２のローラと、媒体の放出方向と略平行になるよう設けられ、放出された媒体を斜め下方向にガイドする媒体ガイドと、媒体ガイドの末端側に設けられ、斜め下方向に放出された媒体の先端部が衝突することで当該媒体を停止させるビルストッパとを設けるようにした。
【００２４】
このように媒体の放出方向が斜め下方向となるようにしたことで、媒体を水平方向に放出して集積する従来の媒体集積装置と比べて、２つのローラの軸心を結ぶ線分からビルストッパまでの距離はそのままに、奥行き方向の長さを短くして小型化することができる。
【発明の効果】
【００２５】
本発明によれば、媒体を水平方向に放出して集積する従来の媒体集積装置と比べて、２つのローラの軸心を結ぶ線分からビルストッパまでの距離はそのままに、奥行き方向の長さを短くして小型化することができるので、従来と比して一段と小型化が容易な媒体集積装置及びこの媒体集積装置を有する媒体処理装置を実現できる。
【図面の簡単な説明】
【００２６】
【図１】第１の実施の形態における還流型の現金自動取引装置の構成を示す略線図である。
【図２】第１の実施の形態におけるリジェクト庫の構成を示す略線図である。
【図３】集積ローラとプレッシャローラとの位置関係を示す略線図である。
【図４】監視点の位置を示す略線図である。
【図５】紙幣が放出される様子を示す略線図である。
【図６】紙幣がビルストッパへ衝突する様子を示す略線図である。
【図７】羽根車により紙幣の後端が叩かれる様子を示す略線図である。
【図８】羽根車により紙幣が側面ガイドに引き寄せられる様子を示す略線図である。
【図９】放出口付近の紙幣詰まりを検知するときの説明に伴う略線図である。
【図１０】紙幣の集積量が最大集積量に達しているか否かを検知するときの説明に伴う略線図である。
【図１１】従来のリジェクト庫とのサイズ比較を示す略線図である。
【図１２】第２の実施の形態におけるビルストッパの構成を示す略線図である。
【図１３】ビルストッパの切欠溝の形状を示す略線図である。
【図１４】従来の還流型の現金自動取引装置の構成を示す略線図である。
【図１５】従来のリジェクト庫の構成を示す略線図である。
【図１６】紙幣の向きと搬出方向を示す略線図である。
【発明を実施するための形態】
【００２７】
以下、発明を実施するための形態について、図面を用いて詳細に説明する。
【００２８】
［１．第１の実施の形態］
［１−１．現金自動取引装置の構成］
まず第１の実施の形態について説明する。図１に、この第１の実施の形態における還流型の現金自動取引装置１０の構成例を示す。尚、この図１は、図１４と同一部分に同一符号を付してある。
【００２９】
現金自動取引装置１０は、入出金口１０１と、鑑別部１０２と、一時保留部１０３と、収納庫１０４と、補回庫１０５と、補回庫入出金部１０６と、リジェクト庫１１と、取忘れ保管庫１０８と、これらをつなぐ紙幣搬送路１０９とで構成されている。
【００３０】
入出金口１０１は、顧客が入金取引にてセットした紙幣を取り込むための取引口と、出金取引にて顧客へ紙幣を受け渡すための受渡口とを兼ね、鑑別部１０２は、紙幣の金種、正損、真偽、表裏、重走などを判別し、一時保留部１０３は、入出金口１０１に投入され鑑別部１０２によって正常判別された紙幣を、入金取引確定まで一時的に保管して確定後に繰り出すようになっている。
【００３１】
収納庫１０４は、金種ごとに紙幣を収納し、金種ごとに紙幣を繰り出すようになっている。補回庫１０５は、収納庫１０４から回収される紙幣や収納庫へ補充される紙幣を収納し、必要に応じて現金自動取引装置１０から取り外せるようになっている。補回庫入出金部１０６は、紙幣補充時には補回庫１０５に収納されている紙幣を１枚ずつ分離して紙幣搬送路１０９へ繰り出し、紙幣回収時には補回庫１０５へ紙幣を収納させるようになっている。
【００３２】
リジェクト庫１１は、紙幣鑑別部１０２によって異常判別された紙幣を収納し、取忘れ保管庫１０８は、出金取引時に入出金口１０１に搬送された紙幣が一定時間放置されたときに、その紙幣を放置紙幣として取り込んで収納するようになっている。
【００３３】
この現金自動取引装置１０は、例えば、入出金口１０１より前方（すなわち取引を行う顧客に近い方）に鑑別部１０２が配置され、入出金口１０１より後方に一時保留部１０３が配置されている。また、入出金口１０１、鑑別部１０２及び一時保留部１０３の下方に収納庫１０４が前後方向に複数（例えば４つ）並べて配置されている。
【００３４】
さらに、この現金自動取引装置１０は、一時保留部１０３の後方に補回庫入出金部１０６が配置され、補回庫入出金部１０６の下方に補回庫１０５が配置され、補回庫１０５の下方にリジェクト庫１１が上下方向に２つ並べて配置され、リジェクト庫１１の下方に取忘れ保管庫１０８が配置されている。そして、これら複数のユニットが、紙幣搬送路１０９でつながれたレイアウトとなっている。
【００３５】
次に、現金自動取引装置１０のリジェクト庫１１の構成について、図２を用いて説明する。リジェクト庫１１は、集積ローラ２０と、プレッシャローラ２１と、上部ガイド２２と、ビルストッパ２３と、羽根車２４と、側面ガイド２５と、収納フレーム２６と、ステージ２７と、紙幣監視センサ２８（２８ａ、２８ｂ）とで構成されている。
【００３６】
集積ローラ２０は、リジェクト庫１１の前面上部に位置する取込口２９近傍に設けられ、プレッシャローラ２１は、その軸心が、集積ローラ２０の軸心の真上から後方に所定角度ずれた箇所に位置するように対向して設けられている。
【００３７】
具体的な例を挙げると、図３に示すように、プレッシャローラ２１は、その軸心が、集積ローラ２０の軸心の真上から後方に約３０度ずれた箇所に位置するように対向して設けられている。尚、図１４に示す従来のリジェクト庫１０７と比較して、２つのローラの軸心間の距離は変わらない。
【００３８】
このような位置関係とすることで、集積ローラ２０とプレッシャローラ２１の間の放出口から放出される紙幣ＢＬの放出方向は、水平ではなく、斜め下方向（例えば斜め下３０度の方向）となる。
【００３９】
またこのような紙幣ＢＬの放出方向と平行になるようリジェクト庫１１の上面も傾斜しており、上部ガイド２２は、この傾斜している上面の内側に沿って設けられている。ゆえに、この上部ガイド２２も、紙幣ＢＬの放出方向と平行になるよう傾斜している。
【００４０】
ビルストッパ２３は、略板状であり、リジェクト庫１１後面上部の内側、上部ガイド２２の後端部近傍に設けられている。このビルストッパ２３は、放出口から斜め下方向に放出される紙幣ＢＬの先端部が確実に衝突するよう、放出口から見て斜め下に配置されるようになっている。
【００４１】
羽根車２４は、集積ローラ２０と同軸に枢支されている。側面ガイド２５は、リジェクト庫１１内の前面側、羽根車２４の軸の下方に垂直に設けられ、収納フレーム２６は、リジェクト庫１１全体を囲うように設けられている。そしてこれら側面ガイド２５及び収納フレーム２６により紙幣を収納する収納空間が形成され、ステージ２７は、この収納空間を上下方向に移動可能に設けられている。つまり、これら側面ガイド２５、収納フレーム２６及びステージ２７が媒体を集積する媒体集積部として機能する。
【００４２】
紙幣監視センサ２８は、リジェクト庫１１内の紙幣状況を監視する例えば透過型の光電センサであり、発光素子２８ａと受光素子２８ｂとで構成されている。
【００４３】
発光素子２８ａ及び受光素子２８ｂは、それぞれ、図４に示すように、繰出しローラ５０とプレッシャローラ５１の間の放出口近傍の監視点Ｐ１と、側面ガイド２５上で且つ羽根車２４の回転範囲内の監視点Ｐ２とを通る直線上で、且つ監視点Ｐ１及びＰ２より外側の位置に設けられている。
【００４４】
尚、放出口近傍の監視点Ｐ１は、繰出しローラ５０とプレッシャローラ５１の間の放出口付近での紙幣ＢＬの放出状況を監視するために設定されている箇所であり、側面ガイド２５上の監視点Ｐ２は、ステージ２７上に集積されている紙幣ＢＬの集積状況を監視するために設定されている箇所である。
【００４５】
つまり、紙幣監視センサ２８は、放出口近傍の監視点Ｐ１と、側面ガイド２５上の監視点Ｐ２を通る直線上に紙幣ＢＬが滞留しているか否かを監視することで、放出口付近での放出状況として紙幣詰まりが発生しているか否かや、ステージ２７上に集積されている紙幣ＢＬの集積状況として紙幣ＢＬの集積量が集積可能な最大集積量に達しているか否かを検知できるようになっている。
【００４６】
リジェクト庫１１は、このような構成でなり、そのうえで集積ローラ２０の軸心とプレッシャローラ２１の軸心を結ぶ線分からビルストッパ２３までの距離Ｌｘ（図２）が紙幣ＢＬの短辺より長くなるよう、各部のサイズが選定されている。
【００４７】
［１−２．動作及び効果］
以上の構成において、リジェクト庫１１では、図５に示すように、集積ローラ２０とプレッシャローラ２１とにより、取込口２８から取り込まれた紙幣ＢＬにフィード力が与えられ、この紙幣ＢＬがリジェクト庫１０７の収納空間に斜め下方向に放出される。
【００４８】
斜め下方向に放出された紙幣ＢＬは、図６に示すように、上部ガイド２２にガイドされ、その前端部がビルストッパ２３に衝突することで停止する。その後、紙幣ＢＬは、図７に示すように、その後端部が羽根車２４によって下方向に叩きつけられることによりステージ２７上に落とされる。このときステージ２７は、紙幣ＢＬの重量に応じて下がる。
【００４９】
さらにステージ２７上に落とされた紙幣ＢＬは、図８に示すように、その後端部が羽根車２４によって側面ガイド２５に当接するまで引き寄せられる。
【００５０】
リジェクト庫１１では、このような動作を繰り返し行うことで、ステージ２７上に、後端部を揃えた状態で紙幣ＢＬを上下方向に集積していく。
【００５１】
またリジェクト庫１１では、図９に示すように、例えば、繰出しローラ５０とプレッシャローラ５１の間の放出口付近で紙幣詰まりが発生することにより、発光素子２８ａから受光素子２８ｂへの光が例えば所定時間遮られると、リジェクト庫１１内の紙幣状況が異常であると判断して、リジェクト庫１１への紙幣ＢＬの取り込みを停止させる。
【００５２】
さらにリジェクト庫１１では、図１０に示すように、例えば、ステージ２７上に集積されている紙幣ＢＬの集積量が、集積可能な最大集積量に達していることにより、発光素子２８ａから受光素子２８ｂへの光が例えば所定時間遮られると、リジェクト庫１１内の紙幣状況が異常であると判断して、例えば、リジェクト庫１１への紙幣ＢＬの取り込みを停止させる。
【００５３】
このようにしてリジェクト庫１１は、紙幣を集積すると共に、紙幣状況を監視するようになっている。
【００５４】
ここまで説明したように、リジェクト庫１１は、紙幣ＢＬの放出方向が斜め下方向となるようにプレッシャローラ２１が集積ローラ２０の後方（すなわち収納空間側）に位置しており、これに合わせて、上部ガイド２２が傾斜していて、この上部ガイド２２の先にビルストッパ２３が配置されるようになっている。
【００５５】
これにより、リジェクト庫１１は、図１１に示すように、例えば、集積ローラ２０の軸心とプレッシャローラ２１の軸心を結ぶ線分からビルストッパ２３までの距離Ｌｘを、従来の水平放出型のリジェクト庫１１の距離Ｌと同じ長さ確保しながらも、放出方向を斜め下方向にした分、奥行き方向の長さを短くすることができ、薄型化を実現している。
【００５６】
尚、本実施の形態のリジェクト庫１１は、奥行き方向の長さを短くした分、側面ガイド２５の位置を、羽根車２４の軸の下方となるよう、従来よりもリジェクト庫１１の前面に近づけたことで、収納空間の奥行き方向のサイズを十分に確保するようになっている。
【００５７】
またこのようにリジェクト庫１１の薄型化を実現したことで、リジェクト庫１１を、図１に示したように補回庫１０５と取忘れ保管庫１０８との間ではなく、例えば、最奥の収納庫１０４と、補回庫１０５及び取忘れ保管庫１０８との間に配置することも可能となる。
【００５８】
こうすることで、リジェクト庫１１の上下方向に空きスペースができ、この空きスペースを活用することで、図１に示したリジェクト庫１１よりも、上下方向に長いサイズのリジェクト庫１１（図示せず）を配置することが可能となる。
【００５９】
このようにすれば、現金自動取引装置１０のサイズはそのままに、リジェクト庫１１に集積可能な最大集積量を増やすことができ、この結果、リジェクト庫１１に集積された紙幣の回収作業を行う回数を減らすことができる。
【００６０】
さらにリジェクト庫１１の位置を変えることで、補回庫１０５の下方向にも空きスペースができ、この空きスペースを活用することで、例えば、図１に示した補回庫１０５よりも、上下方向に長いサイズの補回庫１０５（図示せず）を配置することも可能となる。
【００６１】
このようにすれば、現金自動取引装置１０のサイズはそのままに、リジェクト庫１１の最大集積量にくわえて、補回庫１０５に集積可能な紙幣の最大集積量も増やすことができ、この結果、補回庫１０５を介して１度に現金自動取引装置１０に補充できる紙幣の枚数と１度に現金自動取引装置１０から回収できる紙幣の枚数を増やすことができるので、紙幣を補充及び回収する作業の回数を減らすことができる。
【００６２】
こうすることで、現金自動取引装置１０は、リジェクト庫１１及び補回庫１０５の運用回数を減らすことができ、運用コストを低減できる。
【００６３】
また現金自動取引装置１０のリジェクト庫１１では、放出口近傍の監視点Ｐ１と、側面ガイド２５上の監視点Ｐ２を通る直線上に、紙幣監視センサ２８の発光素子２８ａと受光素子２８ｂを設けるようにした。
【００６４】
こうすることで、１組の発光素子２８ａと受光素子２８ｂからなる紙幣監視センサ２８のみで、放出口付近での紙幣ＢＬの放出状況、及びステージ２７上に集積されている紙幣ＢＬの集積状況の双方を監視することができる。
【００６５】
これにより、例えば、放出口付近での紙幣ＢＬの放出状況と、ステージ２７上に集積されている紙幣ＢＬの集積状況とを、それぞれ別の紙幣監視センサで監視する場合と比して、紙幣監視センサの数を少なくすることができ、部品コストを低減できる。
【００６６】
以上の構成によれば、リジェクト庫１１は、紙幣ＢＬの放出方向が斜め下方向になっていることにより、紙幣ＢＬを水平方向に放出して集積する従来のリジェクト庫１０７と比べて、２つのローラの軸心を結ぶ線分からビルストッパ２３までの距離はそのままに、奥行き方向の長さを短くして小型化することができる。
【００６７】
［２．第２の実施の形態］
次に、第２の実施の形態について説明する。この第２の実施の形態は、リジェクト庫のビルストッパの形状が第１の実施の形態とは異なる実施の形態である。
【００６８】
尚、ビルストッパ以外の部分については、第１の実施の形態と同様であるので、第１の実施の形態を参照とする。ゆえに、ここでは、ビルストッパを主に説明する。
【００６９】
［２−１．ビルストッパの構成］
図１２に、第２の実施の形態のビルストッパ４０が設けられたリジェクト庫１１を示す。尚、この図１２は、ビルストッパ４０以外の部分については、図２と同一であり、同一部分に同一符号を付してある。
【００７０】
ビルストッパ４０は、略板状であり、第１の実施の形態のビルストッパ２３と同様、リジェクト庫１１後面上部の内側、上部ガイド２２の後端部近傍に設けられている。このビルストッパ４０も、放出口から斜め下方向に放出される紙幣ＢＬの先端部が確実に衝突するよう、放出口から見て斜め下に配置されるようになっている。
【００７１】
よって、ビルストッパ４０の紙幣衝突面となる前面には、集積ローラ２０とプレッシャローラ２１の間の放出口から斜め下方向に放出された紙幣ＢＬの先端部が衝突する。
【００７２】
このとき、紙幣ＢＬの先端部は、ビルストッパ４０の紙幣衝突面に対して垂直に衝突するのではなく、斜め上から斜めに衝突することになる。
【００７３】
ここで、仮にビルストッパ４０の紙幣衝突面が平坦であるとすると、紙幣ＢＬの先端部がこの紙幣衝突面に衝突しても停止せず下方に滑ってしまう。このように紙幣ＢＬの先端部が紙幣衝突面に衝突しても停止せず下方に滑ってしまうと、紙幣ＢＬが、例えば、既に集積されている紙幣とビルストッパ４０との間に入り込み、集積不良を起こしてしまう可能性がある。
【００７４】
そこで、このビルストッパ４０の紙幣衝突面には、斜め上から斜めに衝突してくる紙幣ＢＬの先端部を確実に引っ掛けて停止させるよう複数の切欠溝４１が形成されている。
【００７５】
この切欠溝４１は、衝突する紙幣ＢＬの先端部（長辺）に平行な方向、すなわちリジェクト庫１１の左右方向に延在する断面Ｖ字型の引っ掛かり形状でなり、ビルストッパ４０の紙幣衝突面に、上下方向に所定の間隔を空けて複数形成されている。
【００７６】
またこの切欠溝４１は、図１３に示すように、断面Ｖ字型の引っ掛かり形状を形成する２面のうちの下側の面である下面部４１ａが紙幣ＢＬの放出方向（例えば斜め下３０度の方向）と平行になっている。
【００７７】
［２−２．動作及び効果］
以上の構成において、集積ローラ２０とプレッシャローラ２１とにより放出口から斜め下方向に放出された紙幣ＢＬの先端部が、ビルストッパ４０の紙幣衝突面に対して、斜め上から衝突する。
【００７８】
このときビルストッパ４０は、紙幣衝突面に形成されている切欠溝４１により、紙幣ＢＬの先端部を捕らえて停止させる。
【００７９】
尚、ビルストッパ４０は、下端側の軸を中心に前後方向に回動可能であり、バネなどの弾性部材によりその姿勢が保たれ、紙幣ＢＬの衝突時には、後方に回動することで衝撃を吸収するようにもなっている。
【００８０】
ここまで説明したように、ビルストッパ４０の紙幣衝突面には、断面Ｖ字型の引っ掛かり形状で、下面部４１ａが紙幣ＢＬの放出方向と平行な切欠溝４１が形成されている。
【００８１】
以上の構成によれば、ビルストッパ４０は、紙幣衝突面に対して斜め上から衝突してくる紙幣ＢＬの先端部を確実に引っ掛けて停止させることができ、こうすることで、紙幣ＢＬが、例えば、既に集積されている紙幣ＢＬとビルストッパ４０との間に入り込んで集積不良を起こしてしまうような状況を回避することができる。
【００８２】
［３．他の実施の形態］
［３−１．他の実施の形態１］
尚、上述した第１の実施の形態では、薄型化したリジェクト庫１１を、補回庫１０５と取忘れ保管庫１０８との間ではなく、例えば、最奥の収納庫１０４と、補回庫１０５及び取忘れ保管庫１０８との間に配置することも可能であるとした。
【００８３】
これに限らず、薄型化したリジェクト庫１１を、他の位置に配置するようにしてもよい。また薄型化したリジェクト庫１１に合わせて現金自動取引装置１０の各部の位置を変更したうえで、薄型化したリジェクト庫１１を配置するようにしてもよい。
【００８４】
また、第１の実施の形態では、薄型化したリジェクト庫１１を、最奥の収納庫１０４と、補回庫１０５及び取忘れ保管庫１０８との間に配置することにより、リジェクト庫１１の上下方向に空きスペースができ、この空きスペースを活用することで、現金自動取引装置１０のサイズはそのままに、より高さのあるリジェクト庫１１を配置することが可能であるとした。
【００８５】
これに限らず、リジェクト庫１１を薄型化した分、現金自動取引装置１０全体を小型化するようにしてもよい。
【００８６】
さらに、第１の実施の形態では、リジェクト庫１１の上面を、紙幣の放出方向に合わせて傾斜させるようにした。このようにリジェクト庫１１の上面が傾斜している場合、上面の上方に断面三角形上の空きスペースが生まれる。そこで、この空きスペースを活用するようにしてもよい。
【００８７】
具体的な例としては、例えば、この空きスペースに、紙幣監視センサ２８の制御装置を設けるなどしてもよい。
【００８８】
［３−２．他の実施の形態２］
また、上述した第２の実施の形態では、断面Ｖ字型の引っ掛かり形状の切欠溝４１が形成されたビルストッパ４０をリジェクト庫１１に設け、放出された紙幣ＢＬの先端部をこの切欠溝４１に確実に引っ掛けて停止させるよう、この切欠溝４１の下面部４１ａを紙幣ＢＬの放出方向と平行にしたが、必ずしも完全に平行でなくてもよく、略平行であればよい。尚、ここで言う略平行とは、完全な平行を含めたほぼ平行を意味する。
【００８９】
またこれに限らず、放出された紙幣ＢＬの先端部が、重力によって放出直後の放出方向（例えば斜め下３０度の方向）よりも急な角度（例えば斜め下３５度の方向）で紙幣衝突面に衝突する場合を考慮して、切欠溝４１の下面部４１ａの角度を放出方向よりも急な角度（例えば３５度）にしてもよい。
【００９０】
［３−３．他の実施の形態３］
さらに、上述した第１及び第２の実施の形態では、上部ガイド２２が、紙幣ＢＬの放出方向と平行になるよう傾斜しているとしたが、放出方向に沿って傾斜していれば、必ずしも完全に平行でなくてもよく、略平行であればよい。
【００９１】
［３−４．他の実施の形態４］
さらに、上述した第１及び第２の実施の形態では、鑑別部１０２により異常判別された紙幣を集積するリジェクト庫１１に本発明を適用するようにしたが、これに限らず、例えば、収納庫１０４や取忘れ保管庫１０８など、紙幣を集積する他の集積庫に適用するようにしてもよい。
【００９２】
［３−５．他の実施の形態５］
さらに、上述した第１の実施の形態では、放出口付近での紙幣ＢＬの放出状況、及びステージ２７上に集積されている紙幣ＢＬの集積状況の双方を監視する紙幣監視センサ２８として、透過型の光電センサを用いるようにしたが、これに限らず、放出口付近での紙幣ＢＬの放出状況、及びステージ２７上に集積されている紙幣ＢＬの集積状況の双方を監視できるセンサであれば、この他種々のセンサを用いるようにしてもよい。
【００９３】
またセンサの代わりに、監視点Ｐ１とＰ２とを通る直線上を撮像するカメラを設け、このカメラによって撮像される画像をもとに、放出口付近での紙幣ＢＬの放出状況、及びステージ２７上に集積されている紙幣ＢＬの集積状況の双方を監視するようにしてもよい。
【００９４】
また、上述した第１の実施の形態では、監視点Ｐ１とＰ２とを通る直線上に発光素子２８ａと受光素子２８ｂを設けるようにしたが、直線上に紙幣ＢＬが滞留しているか否かを監視できさえすれば、発光素子２８ａと受光素子２８ｂの位置関係は、逆であってもよい。
【００９５】
さらにこれら監視点Ｐ１及びＰ２を通る直線を調整できるよう、発光素子２８ａ及び受光素子２８ｂの位置や向きを変えることのできる機構をリジェクト庫１１に設けるようにしてもよい。
【００９６】
［３−６．他の実施の形態６］
さらに、上述した第１の実施の形態では、媒体集積装置としてのリジェクト庫１１に、第１のローラとしての集積ローラ２０、第２のローラとしてのプレッシャローラ２１、放出ガイドとしての上部ガイド２２、ビルストッパ２３、羽根車２４、集積ガイドとしての側面ガイド２５、ステージ２７、媒体監視部としての紙幣監視センサ２８を設けるようにした。さらに、上述した第２の実施の形態では、媒体集積装置としてのリジェクト庫１１に、第１のローラとしての集積ローラ２０、第２のローラとしてのプレッシャローラ２１、放出ガイドとしての上部ガイド２２、ビルストッパ４０、羽根車２４、集積ガイドとしての側面ガイド２５、ステージ２７、媒体監視部としての紙幣監視センサ２８を設けるようにした。
【００９７】
これに限らず、同様に機能するものであれば、これらの代わりとしてリジェクト庫１１に設けるようにしてもよい。
【００９８】
［３−７．他の実施の形態７］
さらに、上述した第１及び第２の実施の形態では、本発明を、媒体処理装置としての現金自動取引装置１０に適用したが、本発明は、これに限らず、媒体を集積する集積庫を有する装置であれば、紙幣以外の媒体を扱うコピー機やプリンタ、自動販売機、券売機など、種々の装置に適用することもできる。
【００９９】
［３−８．他の実施の形態８］
さらに、本発明は、上述した第１及び第２の実施の形態と、上述した他の実施の形態とに限定されるものではない。すなわち本発明は、上述した第１及び第２の実施の形態と上述した他の実施の形態の一部または全部を任意に組み合わせた実施の形態や、一部を抽出した実施の形態にもその適用範囲が及ぶものである。
【産業上の利用可能性】
【０１００】
本発明は、媒体を集積する集積庫を有する現金自動取引装置や、コピー機、プリンタ、自動販売機、券売機などの装置で広く利用することができる。
【符号の説明】
【０１０１】
１０、１００……現金自動取引装置、１１、１０７……リジェクト庫、２０、２００……集積ローラ、２１、２０１……プレッシャローラ、２２、２０２……上部ガイド、２３、４０、２０３……ビルストッパ、２４、２０４……羽根車、２５、２０５……側面ガイド、２８……紙幣監視センサ、４１……切欠溝、ＢＬ……紙幣。
【図１】
2013056726.tif 000003
【図２】
2013056726.tif 000004
【図３】
2013056726.tif 000005
【図４】
2013056726.tif 000006
【図５】
2013056726.tif 000007
【図６】
2013056726.tif 000008
【図７】
2013056726.tif 000009
【図８】
2013056726.tif 000010
【図９】
2013056726.tif 000011
【図１０】
2013056726.tif 000012
【図１１】
2013056726.tif 000013
【図１２】
2013056726.tif 000014
【図１３】
2013056726.tif 000015
【図１４】
2013056726.tif 000016
【図１５】
2013056726.tif 000017
【図１６】
2013056726.tif 000018